(57)【要約】      （修正有）【課題】コース方向に複数個所の肉厚部を編成可能な横編地の編成方法を提供する。【解決手段】本発明は、肉厚部を備えた横編地を編成する編成方法である。ｎ（ｎは、５以上の整数）本の編針からなる針列ｌ〜ｑに、編糸を１回給糸する肉厚部編成小工程Ｓ１０２〜Ｓ１０６を、給糸方向を折り返しながら連続してｎ回繰り返すことにより肉厚部完全組織１０Ｓを少なくとも１つ形成する肉厚部編成工程Ｓ１を備える。肉厚部編成小工程Ｓ１０２〜Ｓ１０６において、ニット操作と、タック操作とを、それぞれ少なくとも１針ずつの編針について行うとともに、ミス操作を少なくとも（ｎ−３）針以上の編針について行い、肉厚部編成工程Ｓ１において、肉厚部完全組織１０Ｓを１つ形成するにあたり、ｎ本からなる針列ｌ〜ｐの編針毎に、ニット操作と、タック操作とを少なくとも１回ずつ行うとともに、ミス操作を（ｎ−３）回以上行う。【選択図】図２
2019119936.tif 000002
【特許請求の範囲】
【請求項１】
肉厚部を備えた横編地を編成する編成方法であって、
ｎ（ｎは、５以上の整数）本の編針からなる針列に、当該針列の並ぶ一方向、又は他方向に編糸を１回給糸する肉厚部編成小工程を、給糸方向を折り返しながら連続してｎ回繰り返すことにより肉厚部完全組織を少なくとも１つ形成する肉厚部編成工程を備え、
前記肉厚部編成小工程において、ニット操作と、タック操作とを、それぞれ少なくとも１針ずつの編針について行うとともに、ミス操作を少なくとも（ｎ−３）針以上の編針について行い、
前記肉厚部編成工程において、前記肉厚部完全組織を１つ形成するにあたり、ｎ本からなる針列の編針毎に、ニット操作と、タック操作とを少なくとも１回ずつ行うとともに、ミス操作を（ｎ−３）回以上行うことを特徴とする肉厚部を備えた横編地の編成方法。
【請求項２】
前記肉厚部完全組織を１つ形成するにあたり、ニット操作とタック操作を行う編針の合計が３針である肉厚部編成小工程が０回又は１回である請求項１に記載の肉厚部を備えた横編地の編成方法。
【請求項３】
前記肉厚部完全組織を１つ形成するにあたり、ニット操作とタック操作を行う回数の合計が３回である編針の数が０本又は１本である請求項１に記載の肉厚部を備えた横編地の編成方法。
【請求項４】
前記編糸が、非弾性糸からなる表糸と弾性糸からなる裏糸とからなり、
前後する２つの肉厚部編成工程の間に、前記針列の少なくとも一部の針について、前記表糸を給糸するヤーンキャリアと前記裏糸を給糸するヤーンキャリアの前後を逆にして、前記非弾性糸を裏糸に前記弾性糸を表糸にして編成を行う逆プレーティング工程を備える請求項１から請求項３のいずれか１項に記載の肉厚部を備えた横編地の編成方法。
【請求項５】
前記肉厚部編成工程は、前記針列の両端から徐々に編針を減らしながら前記肉厚部編成小工程を複数回繰り返す縮幅部編成工程と、前記縮幅部編成工程に続けて、編針に掛止されたままのループをニットして左右一対のゴアラインを形成するゴアライン形成工程とを備える請求項１から請求項４のいずれか１項に記載の肉厚部を備えた編地の編成方法。
【請求項６】
前記ゴアライン形成工程においても、前記肉厚部編成小工程を複数回繰り返す請求項５に記載の肉厚部を備えた横編地の編成方法。
【請求項７】
周囲よりも肉厚の肉厚部を備えた横編地であって、
前記肉厚部は、編地の１コースの中に、編糸がコース方向に折り返すｎ（ｎは、５以上の整数）本の小コースとｎ列のウエールからなる肉厚部完全組織を有し、
前記肉厚部完全組織は、各ウエールが１つ以上２つ以下のループを有するとともに、各ウエールのループの１つがニットループとタックループとを重ねた二重ループからなり、
前記ニットループが存する小コースと前記タックループが存する小コースの組み合わせが前記各二重ループで異なることを特徴とする肉厚部を備えた横編地。
【発明の詳細な説明】
【技術分野】
【０００１】
この発明は、コース方向の少なくとも一部に、肉厚部を備える横編地に関する。
【背景技術】
【０００２】
従来、横編組織に編成される編地に肉厚部を形成する方法として、複数層に編成した地組織を連結糸でタックしてジグザグ状に連結する方法が知られている（特許文献１、特許文献２参照）。
【０００３】
例えば、特許文献１では、丸編み機のシリンダー側ループにより形成された地組織とダイヤル側ループにより形成された地組織とを結束糸でタックし、地組織に弾性糸を用いてスナッキングを防止するよう構成した三層構造編地が提案されている。
【０００４】
また、特許文献２では、前後一対に針床を備えた横編み機において、前後のニードルベッド間で目移しを行いながら編成した３層以上の地組織を結束糸により連結し、従来の３層よりも多層に形成することで、さらに大きなクッション性を備えた多層編地が提案されている。
【先行技術文献】
【特許文献】
【０００５】
【特許文献１】特開平６−１５８４８３号公報
【特許文献２】特開２００９−１５０００７号公報
【発明の概要】
【発明が解決しようとする課題】
【０００６】
しかし、特許文献２の編成方法では、十分なクッション性を備えるだけの多層にするために、ヤーンキャリアが多数必要となるため、コース方向に複数個所の肉厚部を設けることが困難であるという問題が有る。
本発明は、上記課題に鑑みてなされたものであり、コース方向に複数の肉厚部を設けることが可能な横編地の編成方法、及びコース方向に複数の肉厚部を備えた横編地の提供を目的とする。
【課題を解決するための手段】
【０００７】
上記課題を解決するためになされた発明は、肉厚部を備えた横編地を編成する編成方法であって、ｎ（ｎは、５以上の整数）本の編針からなる針列に、当該針列の並ぶ一方向、又は他方向に編糸を１回給糸する肉厚部編成小工程を、給糸方向を折り返しながら連続してｎ回繰り返すことにより肉厚部完全組織を少なくとも１つ形成する肉厚部編成工程を備え、前記肉厚部編成小工程において、ニット操作と、タック操作とを、それぞれ少なくとも１針ずつの編針について行うとともに、ミス操作を少なくとも（ｎ−３）針以上の編針について行い、前記肉厚部編成工程において、前記肉厚部完全組織を１つ形成するにあたり、ｎ本からなる針列の編針毎に、ニット操作と、タック操作とを少なくとも１回ずつ行うとともに、ミス操作を（ｎ−３）回以上行うことを特徴とする。
【０００８】
本発明の編成方法では、このように、肉厚部完全組織を１つ形成するにあたり、ｎ針の針列の一方向、又は他方向に編糸を１回給糸する肉厚部編成小工程において、ニット操作と、タック操作とを、それぞれ少なくとも１針ずつ、ミス操作を少なくとも（ｎ−３）針以上の編針に制限して行うことで、ｎ針の針列の中で１又は２針だけでニット操作を行うことになる。そして、この肉厚部編成小工程を、給糸方向を折り返しながらｎ回繰り返す肉厚部編成工程において、ｎ本の針列の編針毎に、ニット操作と、タック操作とを少なくとも１又は２回以上ずつ、ミス操作を（ｎ−３）回以上に制限して行うことで、１針につき１、又は２回だけニット操作を行うことになる。
このような編成を行うことにより、１つの肉厚部完全組織内には、ニットループの裏側にタックループが重なった二重ループが、コース方向にｎ個、ウエール方向に１、又は２個並べて形成され、その裏側に、ミス操作による少なくとも２ｎ本の渡り糸が形成されることにより、厚みのある肉厚部が形成できる。
そして、本発明の編成方法では、１回の肉厚部編成工程が終了すると、先の肉厚部編成工程に用いた針列と幾針か間をおいた別の針列に対し同じヤーンキャリアを用いて、さらに肉厚部編成工程を行えることから、ヤーンキャリアに不足を来すことが無く、再度肉厚部編成工程を行うことができるため、コース方向に複数の肉厚部を形成できる。
【０００９】
本発明の肉厚部を備える横編地の編成方法は、前記肉厚部完全組織を１つ形成するにあたり、ニット操作とタック操作を行う編針の合計が３針である肉厚部編成小工程が０回、又は１回であることが好ましい。こうすることで、肉厚部の組織の編目を美しく整えることができる。
【００１０】
本発明の肉厚部を備える横編地の編成方法は、前記肉厚部完全組織を１つ形成するにあたり、ニット操作とタック操作を行う回数の合計が３回である編針の数が０本、又は１本であることが好ましい。こうすることで、肉厚部の組織の編目を、さらに美しく整えることができる。
【００１１】
本発明の肉厚部を備える編地の編成方法は、前記編糸が、非弾性糸からなる表糸と弾性糸からなる裏糸とからなり、前後する２つの肉厚部編成工程の間に、前記針列の少なくとも一部の針について、前記表糸を給糸するヤーンキャリアと前記裏糸を給糸するヤーンキャリアの前後を逆にして、前記非弾性糸を裏糸に前記弾性糸を表糸にして編成を行う逆プレーティング工程を備えることが好ましい。
こうすることで、肉厚部にコース方向に延びる線状の窪みを設けることができる。
【００１２】
本発明にかかる肉厚部を備えた横編地の編成方法は、前記肉厚部編成工程が、前記針列の両端から徐々に編針を減らしながら前記肉厚部編成小工程を複数回繰り返す縮幅部編成工程と、前記縮幅部編成工程に続けて、編針に掛止されたままのループをニットして左右一対のゴアラインを形成するゴアライン形成工程とを備えてもよい。
前記肉厚部編成工程をこのように構成することで、例えば、靴下の踵部に適用してゴアラインのある踵部に肉厚部を形成できる。
【００１３】
前記ゴアライン形成工程においても、前記肉厚部編成小工程を複数回繰り返すことが好ましい。こうすることで、ゴアラインの後側にも肉厚部を形成できる。
【００１４】
本発明は、周囲よりも肉厚の肉厚部を備えた横編地であって、前記肉厚部は、編地の１コースの中に、編糸がコース方向に折り返すｎ（ｎは、５以上の整数）本の小コースとｎ列のウエールからなる肉厚部完全組織を有し、前記肉厚部完全組織は、各ウエールが１つ以上２つ以下のループを有するとともに、各ウエールのループの１つがニットループとタックループとを重ねた二重ループからなり、前記ニットループが存する小コースと前記タックループが存する小コースの組み合わせが前記各二重ループで異なることを特徴とする肉厚部を備えた横編地を含む。
尚、ここで、「二重ループ」とは、三重以上のループを含むものとする。
【発明の効果】
【００１５】
以上、説明したように、本発明の肉厚部を備えた横編地の編成方法によれば、横編地のコース方向に複数の肉厚部を形成することができる。
【図面の簡単な説明】
【００１６】
【図１】本発明の第１実施形態に係る肉厚部を備えた横編地の底面図である。
【図２】図１に示した指球部の編成図である。
【図３】図２に続く指球部の編成図である。
【図４】図１に示した内側土踏まず部、及び外側土踏まず部の編成図である。
【図５】図４に続く内側土踏まず部、及び外側土踏まず部の編成図である。
【図６】図２の太枠内に示した編成方法で編成される肉厚部完全組織をウエール方向に引き延ばして示した組織図である。
【図７】図６の組織図を実際の編地に近似するようウエール方向に縮めた組織図である。
【図８】本発明の第２実施形態に係る肉厚部を備えた横編地の底面図である。
【図９】図８に示した踵前部、及び前側ゴアラインの編成図である。
【図１０】図８に示した踵中間部、後側ゴアライン、及び踵後部の編成図である。
【図１１】本発明の第３実施形態に係る肉厚部の編成方法を示す編成図である。
【図１２】本発明の第４実施形態に係る肉厚部の編成方法を示す編成図である。
【図１３】本発明の第５実施形態に係る肉厚部の編成方法を示す編成図である。
【図１４】本発明の第６実施形態に係る肉厚部の編成方法を示す編成図である。
【図１５】本発明の第７実施形態に係る肉厚部の編成方法を示す編成図である。
【発明を実施するための形態】
【００１７】
以下、適宜図面を用いながら本発明に係る実施形態について詳述する。以下の説明において、肉厚部を備えた横編地のつま先側を前側、踵側を後側というものとする。ただし、本発明は以下の実施形態に限られるものではない。
【００１８】
＜第１実施形態＞
図１は、本発明の第１実施形態に係る肉厚部を備えた横編地からなる靴下１０を示している。靴下１０は、図１に示すように、つま先部１と、フット部２と、踵部３と、履き口部８とを主に備え、前後一対に針床Ｆ，Ｂを備えた横編機により編成される。
【００１９】
靴下１０は、全体を通して、表糸に綿糸を、裏糸にポリウレタン糸を芯糸としてナイロン糸等でカバリングしたシングルカバリングヤーン（特許請求の範囲における弾性糸、以下「ＳＣＹ」ともいう。）を添えて編成されている。履き口部８においては、さらにウレタン糸を芯糸としてナイロン糸やポリエステル糸等でカバリングしたダブルカバリングヤーン（以下、「ゴム糸」ともいう。）が挿入されている。表糸、裏糸とも、これに限らず公知の糸を適宜に用いることができることはいうまでもない。尚、以下の説明において、表糸と裏糸を合わせて編糸ということが有る。
【００２０】
靴下１０は、図１に示すように、つま先部１が、天竺編に編成された５つの指袋１１，１１，…を有している。
【００２１】
フット部２は、指先部１の編成後、踵部３の編成前に編成される部分からなり、図１に示すように、足裏側に、指球部（肉厚部）４と、内側土踏まず部（肉厚部）５と、外側土踏まず部（肉厚部）６と、肉薄湾入部９ａと、肉薄縦境界部９ｂと、肉薄横境界部９ｃと肉薄内側部９ｄとを備えている。
【００２２】
指球部４は、図１に示すように、踵側に二股部４ｂ，４ｃを備えた倒Ｖ字形状を有し、全体に、足の幅方向に折線状に延びる複数の横溝線４ａを備えている。二股部４ｂ，４ｃは、肉薄湾入部９ａにより、フット部２の周方向（コース方向）について分離されている。踵部３は、左右２対で計４本のゴアライン７，…が設けられている。履き口部８には、踵が靴の履き口の後縁に当たることを防止するへら部８ａが設けられている。
【００２３】
（編成方法）
図２乃至図５は、第１実施形態に係るフット部２の編成方法を模式的に示した編成図である。これらの編成図においては、針数を実際よりも少なく記載しており、本発明に係る編地を編成する際には、針数を適宜に変更することが可能である。
【００２４】
フット部２の編成は、図２、図３に示すように、指袋１１，…の編成に続けて行い、肉厚部編成工程Ｓ１から肉厚部編成工程Ｓ８により、コースＣ１からコースＣ２４からなる指球部４を編成し、図３〜図５に示すように、肉厚部編成工程Ｓ９から肉厚部編成工程Ｓ２４により、コースＣ２５からコースＣ５５からなる内側土踏まず部５、及び外側土踏まず部６を編成する。
【００２５】
（肉厚部編成工程Ｓ１）
肉厚部編成工程（以下、単に「工程」ともいう。）Ｓ１は、まず、肉厚部編成小工程（以下、単に「小工程」ともいう。）Ｓ１０１において、前側の針床Ｆの編針ａから編針ａｂまでの全針に給糸しながらキャリッジを右行させてニット（〇）操作を行い、フット部２の足の甲側を天竺組織に編成する。次に、小工程Ｓ１０２において、キャリッジを反転して左行させ、後側の針床Ｂの編針ａｂから編針ｖの全針に給糸しながらニット（●）操作を行ったのち、小工程Ｓ１０２〜小工程Ｓ１０６までの間に、編針ｕから編針ｈまで１４本の針列に対し、給糸方向を折返しながら５回給糸して編成を行う。
【００２６】
まず、小工程Ｓ１０２においては、後側の針床Ｂの編針ｕから編針ｈのうち、５針置きの編針ｔ，ｏ，ｊでタック（▲）操作を、同じく５針置きの編針ｑ，ｌでニット（●）操作を、それ以外の編針ｕ，ｓ，ｒ，ｐ，ｎ，ｍ，ｋ，ｉ，ｈで、ミス（━）操作を行うように編成し、以下、小工程Ｓ１０３から小工程Ｓ１０６まで、給糸方向を折り返しながら、小工程Ｓ１０２と同じ後側の針床Ｂの編針ｕから編針ｈについて、小工程毎に、ニット（●）操作とタック（▲）操作を行う編針を前の小工程から１つ左側の編針に移動させ、その他の編針でミス（━）操作を行う。工程Ｓ１の最後の小工程Ｓ１０６においては、編針ｈでニット（●）操作を行った後、編針ｇからａまでニット（●）操作を行う。
【００２７】
工程Ｓ１において、図２の太枠で示した部分が、肉厚部４，５，６の基本組織となる肉厚部完全組織１０Ｓを１つ編成する部分である。肉厚部完全組織１０Ｓは、特許請求の範囲におけるｎ＝５の場合に該当し、各小工程において、１又は２回のニット（●）操作と、１又は２回のタック操作を行い、５−３＝２回以上のミス（━）操作を行って編成すべきところ、第１実施形態に係る肉厚部完全組織１０Ｓでは、後側の針床Ｂで編成を行う小工程Ｓ１０２から小工程Ｓ１０６において、例えば、編針ｌから編針ｐまで（あるいは、編針ｑから編み針ｕまで）の５針について、給糸方向を変えながら５回の給糸を行い、各小工程で、１回のニット（●）操作と、１回のタック（▲）操作と、３回のミス（━）操作を行い、１本の編針について、１回のニット（●）操作と、１回のタック（▲）操作と、３回のミス（━）操作を行っている。
つまり、肉厚部編成工程Ｓ１は、肉厚部完全組織１０Ｓを１つ形成する間に、特許請求の範囲におけるニット（●）操作とタック（▲）操作を行う編針の合計が３針である肉厚部編成小工程が０回である場合に相当し、ニット操作とタック操作を行う回数の合計が３回である編針の数が０本である場合に相当する。
【００２８】
この編針ｌから編針ｐに対する５回の給糸による編成で、図６、図７に一点鎖線の枠で示したように、５本の糸（小コース）Ｃ１０２〜Ｃ１０６による５ウエールの組織からなる肉厚部完全組織１０Ｓが編成される。５箇所のタック（▲）操作によりニットループＮ１，Ｎ２，…，Ｎ５と、タックループＴ１，Ｔ２，…，Ｔ５が重なる５つの２重ループ部Ｗ１，Ｗ２，…，Ｗ５が設けられる。この５つの二重ループは、それぞれ、タックループとニットループの存する糸（小コース）の組み合わせが異なるにもかかわらず、図７に示すように、あたかも、同じ小コースの編糸により編成されているかのようにコース方向に並んで、表側からは天竺組織と同様の外観を呈する一方で、裏側には、５つの二重ループに加え、二重ループ部Ｗ１，…のタックループＴ１，Ｔ２，…，Ｔ５から左右に延びる１０本の渡り糸Ａ１，…，Ａ１０が形成されるため、肉厚部４，５，６が厚くなる。
尚、図６において、符号Ｌ〜Ｐは、それぞれ後側の針床Ｂの編針ｌ〜ｐで編成されたウエールを示している。また、コースＣ０は、図２における各指編成で、小コースＣ１０２に先駆けて、前後の針床で天竺編に編成されたコース（編成方法は不図示）を示している。ただし、コースＣ０は、天竺編に限られず、大工程Ｓ１が開始される際に、５度の給糸を繰り返す編針ｈからｕの全てにループが掛止されていれば、公知の編成組織を適宜に適用できる。
【００２９】
工程Ｓ１により、コースＣ１を編成したら、続けて再度工程Ｓ１を繰り返し、Ｃ１と同じ組織からなるコースＣ２を編成する。
【００３０】
（逆プレーティング工程Ｓ２）
コースＣ２を編成したら、逆プレーティング工程Ｓ２を実施して、コースＣ３を編成する。コースＣ３は、横溝線４ａを備えるコースである。
逆プレーティング工程Ｓ２では、まず、小工程Ｓ２０１で、前側の針床Ｆの編針ａから編針ａｂの全針に編糸を給糸してニット（〇）操作を行い、靴下１０の甲側半周を天竺編に編成し、続く小工程Ｓ２０２において、給糸方向を折り返し、後側の針床Ｂでも編針ａｂから編針ａの全針に給糸してニット操作により天竺組織を編成する。ただし、この後側の編針による編成のうち、編針ｕから編針ｈ（図２の◎印参照）については、裏糸のヤーンキャリアと表糸のヤーンキャリアの順序を入れ替え、裏糸のヤーンキャリアを先行させて、編針に対し裏糸を先に給糸するようにする。こうすることで、裏糸のＳＣＹが表側に現れて裏糸による収縮力で編地が押さえられ、横溝線４ａが形成される。
コースＣ３の編成に続けて、コースＣ１からＣ３と同様に工程Ｓ１と逆プレーティング工程Ｓ２を実施して、コースＣ４からＣ６を編成する。
【００３１】
（肉厚部編成工程Ｓ３〜Ｓ４）
続くコースＣ７〜コースＣ１２は、図２に示すように、工程Ｓ３，及び逆プレーティング工程Ｓ４を実施して編成する。工程Ｓ３は、小工程Ｓ３０２から小工程Ｓ３０６において５回給糸を繰り返す編針を、編針ｆから編針ｗへと工程Ｓ１に比べて針列の両端に２針ずつ増やした他は、工程Ｓ１と同様の編成を行う。工程Ｓ２を２回繰り返して、コースＣ７とコースＣ８を編成する。
【００３２】
続けて逆プレーティング工程Ｓ４によりコースＣ９を編成する。工程Ｓ４は、裏糸のヤーンキャリアを先行させる編針の範囲を編針ｆから編針ｗへと工程Ｓ２に比べて針列の両端に２針ずつ増やしたほかは、工程Ｓ２と同様の編成を行う。
続くコースＣ１０からＣ１２は、コースＣ７からＣ９と同様に工程Ｓ３，Ｓ４により編成する。
【００３３】
（肉厚部編成工程Ｓ５〜Ｓ８）
以下、図２、図３に示すように、給糸を５回繰り返す編針の範囲や、裏糸のヤーンキャリアを先行させる編針の範囲を適宜増やしながら、工程Ｓ１から工程Ｓ４と同様の編成方法で工程Ｓ５からＳ８を行い、コースＣ１３からコースＣ２４を形成する。
【００３４】
（二股部４ｂ，４ｃの編成）
続くコースＣ２５からＣ３３は、図１に示した、指球部４の二股部４ｂ，４ｃ、肉薄湾入部９ａ、及びこれらの周方向に連続する足の甲側部分（不図示）を構成し、後述する工程Ｓ９からＳ１４をそれぞれ１乃至２回実施して編成される。
【００３５】
（肉厚部編成工程Ｓ９）
肉厚部編成工程Ｓ９では、小工程Ｓ９０１で甲側半周の編成を行い、小工程Ｓ９０２からＳ９１０で足裏側半周の編成を行う。
詳細には、まず、小工程Ｓ９０１で、前側の針床の全針に編糸を給糸してニット（○）操作により足の甲側部分を天竺編に形成する。続く小工程Ｓ９０２から小工程Ｓ９０６において、編針ｓから編針ａｂに対し、給糸方向を折り返しながら５回の給糸を繰り返し、足の内側の二股部４ｂを編成する。
小工程Ｓ９０２から小工程Ｓ９０６においても、小工程Ｓ１０２から小工程Ｓ１０６と同様に、給糸方向を変えながら５回の給糸を行い、編針ａｂから編針ｓまでのうち、いずれの連続する５針の針列についても、各小工程で、１回のニット（●）操作と、１回のタック（▲）操作と、３回のミス（━）操作を行い、１本の編針について、１回のニット（●）操作と、１回のタック（▲）操作と、３（ｎ−３＝２以上）回のミス（━）操作を行って肉厚部完全組織１０Ｓの編目組織を続けて繰り返した組織に編成されている。
【００３６】
小工程Ｓ９０６の前半では、編針ａｂから編針ｓで、ニット（●）操作とタック（▲）操作とミス（━）操作を織り交ぜて、足の内側の二股部４ｂを編成したのち、編針ｒから編針ｋで肉薄湾入部９を天竺編に編成する。
【００３７】
そして、小工程Ｓ９０６の後半から小工程Ｓ９１０では、編針ｊから編針ａに対し、給糸方向を変えながら５回の給糸を繰り返し、外側二股部４ｃを編成する。小工程Ｓ９０６〜小工程Ｓ９１０においても、肉厚部完全組織１０Ｓと同様に編目組織が連続する組織を編成する。
【００３８】
工程Ｓ９により、コースＣ２５を編成したら、続けて再度工程Ｓ９を繰り返し、Ｃ２５と同じ組織からなるコースＣ２６を編成する。
【００３９】
（逆プレーティング工程Ｓ１０）
そして、コースＣ２６を編成したら、工程Ｓ１０を実施して、横溝線４ａを備えるコースＣ２７を編成する。
工程Ｓ１０においても工程Ｓ２と同様に、図３に◎で示した編針について、裏糸のヤーンキャリアと表糸のヤーンキャリアの順序を入れ替えて、裏糸のヤーンキャリアを先行させ、編針に対し裏糸を先に給糸することで、横溝線４ａを編成する。
【００４０】
（肉厚部編成工程Ｓ１１〜Ｓ１３）
次に、内側の二股部４ｂの編成を行う編針の数と、外側の二股部４ｃの編成を行う編針の数と、裏糸のヤーンキャリアを先行させる編針の数を適宜減少させながら、工程Ｓ９，Ｓ１０と同様に工程Ｓ１１〜工程Ｓ１４を実施して、コースＣ２８からコースＣ３３を編成する。ここで、指球部４の編成が完成する。
【００４１】
（肉薄部編成工程Ｓ１５）
指球部４の編成が終了したら、肉薄部編成工程Ｓ１５により指球部４と土踏まず部５，６の間の肉薄横境界部９ｃを天竺編に編成する（図４のコースＣ３４から３５参照）。
【００４２】
（肉厚部編成工程Ｓ１６）
内側土踏まず部５、及び外側土踏まず部６の編成は、工程Ｓ１６を実施して、内側土踏まず部５の前端部５ａを編成するところから始める。工程Ｓ１６では、まず、小工程Ｓ１６０１で、甲側を天竺編に編成した後、小工程Ｓ１６０２から小工程Ｓ１６０６で、編針ａｂから編針ｐに対し５回の給糸を繰り返し、内側土踏まず部５の前端部５ａを肉厚部完全組織１０Ｓと同様に編目が連続するよう編成する。
工程Ｓ１６を４度繰り返して、コースＣ３６〜Ｃ３９を編成する。
【００４３】
（肉厚部編成工程Ｓ１７〜Ｓ２４）
肉厚部編成工程Ｓ１７〜Ｓ２４は、内側土踏まず部５の後部５ｂと外側土踏まず部６とを、間に肉薄縦境界部９ｂを挟みつつ、同時に編成する工程である。
工程Ｓ１７では、まず、小工程Ｓ１７０１で、前側の針床Ｆの全針に編糸を給糸してニット（○）操作により足の甲側部分を天竺編に形成する。続く小工程Ｓ１７０２から小工程Ｓ１７０６においては、編針ａｂから編針ｐに対し、給糸方向を折り返しながら５回の給糸を繰り返し、内側土踏まず部５の後部５ｂを編成し、続けて、小工程Ｓ１７０６の中盤部分では、編針ｏから編針ｇの全針でニット（●）操作を行って天竺編に編成し、肉薄縦境界部９ｂを編成する。
そして、小工程Ｓ１７０６の後半から小工程Ｓ１７１０では、編針ｆから編針ａに対し、給糸方向を変えながら５回の給糸を繰り返し、外側土踏まず部４ｃを編成する。
【００４４】
工程Ｓ１７における内側土踏まず部５、及び外側土踏まず部６の編成においても、工程Ｓ１の小工程Ｓ１０２から小工程Ｓ１０６と同様に、肉厚部完全組織１０Ｓと同様の編目組織を繰り返す組織に編成する。
工程Ｓ１７を２度繰り返してコースＣ４０とコースＣ４１を編成する。
【００４５】
以後、コースＣ４２からＣ５５を編成する工程Ｓ１８から工程Ｓ２４まで、内側土踏まず部５、外側土踏まず部６、及び肉薄縦境界部９ｂを編成する編針の数を適宜変更する以外は、工程Ｓ１７と同様にして編成を行う。工程Ｓ２１から工程Ｓ２４（コースＣ４８からコースＣ５５）では、内側土踏まず部５の内側に、肉薄内側部９ｄを設けるよう編成が行なわれる。工程内側土踏まず部５、及び外側土踏まず部６の編成が終了したら、工程Ｓ２５により、前後の編針の全針に周回状に編糸を給糸して、コースＣ５６を天竺編に編成する。
【００４６】
尚、内側土踏まず部５、及び外側土踏まず部６においては、横溝線４ａを設けていないが、指球部４と同様に、設けるようにしてもよい。
【００４７】
＜第２実施形態＞
図８は、本発明の第２実施形態に係る肉厚部を備えた横編地からなる靴下２０を示している。靴下２０は、つま先部１と、フット部２２と、踵部２３と、履き口部８とを主に備え、前後一対に針床Ｆ，Ｂを備えた横編機により編成される。靴下２０では、足裏側の指球部２４と、踵部２３が肉厚部に形成される。
尚、第２実施形態以下の実施形態において、第１実施形態と共通する部位については同一符号を付して説明を省略する。
【００４８】
指球部（肉厚部）２４は、人差指から薬指までの３本の指の付け根の部分に設けられ、後側に幅が狭くなる扇型状をなしている。指球部２４は、第１実施形態における内側土踏まず部５や外側土踏まず部６と同様の編成方法により編成され、横溝線４ａを備えない。
尚、指球部２４の編成図は省略する。
【００４９】
踵部２３は、左右一対の前側ゴアライン２７１，２７１と、左右一対の後側ゴアライン２７２，２７２とにより前後方向に分割される、踵前部２３１と、踵中間部２３２と、踵後部２３３とを備えている。
【００５０】
図９、図１０は、踵部２３の編成方法を示している。踵部２３は、フット部２２の編成に続けて行われる肉厚部編成工程Ｓ２６からＳ３０により編成する。尚、踵部２３においては、給糸方向を５回折り返して編成される組織を便宜上１コースとして説明する。
【００５１】
（縮幅部編成工程Ｓ２６）
縮幅部編成工程Ｓ２６は、踵前部２３１を編成する工程で、図９に示すように、まず、小工程Ｓ２６０１において、ヤーンキャリアを左行させながら後側のニードルベッドの編針ａｂでタック（▲）操作をおこなったのち、編針ａａから編針ａに達するまで、ニット（●）、ミス（━）、タック（▲）、ミス（━）、ミス（━）の順で編針の操作を繰り返し、小工程Ｓ２６０２においては、ヤーンキャリアを右行させ、編針ａでタック（▲）操作を行った後、ニット（●）と、ミス（━）の位置を、小工程Ｓ２６０１の１つ左側の編針にずらしながら、同様にニット（●）と、タック（▲）とミス（━）を編針ｂから編針ａａまで繰り返す。小工程Ｓ２６０２では、小工程Ｓ２６０１より給糸を行う編針を端から１針減少させている。
以下、小工程Ｓ２６０３から小工程Ｓ２６０５まで、給糸方向を折り返す度に給糸する編針を１針ずつ減少させながら、ニット（●）とタック（▲）の操作を直前の小工程より１針左隣りの編針で行うようにしてコースＣ２０１を編成する。
【００５２】
コースＣ２０１は、図９の太枠で示したように、編針ｖから編針ｚで編成される部分が第１実施形態の肉厚部完全組織１０Ｓと同じ編成方法であり、他の編針においても、肉厚部完全組織１０Ｓと同様に編目組織が連続するよう編成を繰り返す。
【００５３】
以後、小工程Ｓ２６０６から小工程Ｓ２６３８により、給糸する編針を少しずつ減少させながら、ニット（●）とタック（▲）の位置を１針ずつ左へずらすようにしてコースＣ２０２からコースＣ２０８まで編成する。
尚、本実施形態では、踵前部２３１のコース数を増やして膨らみを持たせるために、小工程Ｓ２６０６や小工程Ｓ２６０７のように、前の小工程より給糸する編針を増やす小工程を設けているが、各小工程で、必ず前の小工程より給糸する編針を減らすようにしてもよい。
【００５４】
しかるのち、小工程Ｓ２６３９においては、ニット（●）とタック（▲）の位置を小工程Ｓ２７３８より１つ左にずらすようにしながら、編針ｕから編針ａまで給糸を行って編成を行い、小工程Ｓ２７４０では、前側の針床Ｆで給糸方向を右方向にして、ａからａｂまでの全針に給糸して、ニット（〇）操作を行って、足の甲側となる半周を天竺編に編成する。
【００５５】
（ゴアライン編成工程Ｓ２７）
ゴアライン編成工程Ｓ２７は、左右一対の前側ゴアライン２７１，２７１を編成する工程であり、本実施形態では、前側ゴアライン２７１，２７１も肉厚部として編成される。工程Ｓ２７では、肉厚部完全組織１０Ｓと同様の編成方法を、編針ａから編針ａｂの範囲で行う。この際、工程Ｓ２６で給糸方向を折り返すところでタック（▲）操作を行ったまま編針ａからｈ，ｕからａｂに掛止されたままになっている複数のループがゴアライン形成工程Ｓ２７によりニット（●）操作で形成したループに連結され、この連結部が前側ゴアライン２７１に形成される。例えば、小工程Ｓ２６０２の編針ａのタック（▲）操作により、編針ａに係止されたままになっている二重ループは、小工程Ｓ２７０１における編針ａのタック（▲）操作により３重ループとなったあと、小工程Ｓ２７０３における編針ａのニット（●）操作により形成されるニットループに連結される。
【００５６】
（縮幅部編成工程Ｓ２８）
縮幅部編成工程Ｓ２８は、図１０に示すように、工程Ｓ２７で前側ゴアライン２７１，２７１を編成した後、コースＣ２１０〜コースＣ２１６からなる踵中間部２３２を編成する工程である。
工程Ｓ２８においても、踵前部２３１を編成する工程Ｓ２６と同様に、給糸する編針の数を徐々に減らしつつ、第１実施形態における肉厚部完全組織１０Ｓの編成と同様の編成を繰り返すようにして行う。
肉厚部編成工程Ｓ２８が終了した直後は、編針ａからｇ、編針ｕからａｂにタック（▲）操作の後複数のループが掛止されたままになる。
【００５７】
（ゴアライン編成工程Ｓ２９）
ゴアライン編成工程Ｓ２９は、踵後部２３３を編成するとともに、後側ゴアライン２７２，２７２を編成する工程である。工程Ｓ２９では、図１０に示すように、まず小工程Ｓ２９０１で、給糸方向を右方向として、編針ｈでタック（▲）操作を、編針ｉでニット（●）操作を行ったのち、編針ｊから、ミス（━）、ミス（━）、ニット（●）、ニット（●）の順に編針の操作を編針ｖまで繰り返す。以下、続く小工程Ｓ２９０２から小工程Ｓ２９１５まで、ニット（●）とミス（━）操作を行う編針が、直前の小工程より２つ左隣りの編針にずらすようにしてこの操作を繰り返す。この際、給糸方向を折り返す度に給糸する編針の数を増やし、給糸方向を折り返すところでタック（▲）操作を行う。
踵後部２３３では、この２回連続するミス（━）操作により擬似パイル状の渡り糸が形成されるため、全針天竺編に編成する部分よりも肉厚となるものの、踵前部２３１や踵中間部２３２より厚みが薄くなる。
工程Ｓ２９で給糸方向を折り返すところでは、ニット（●）操作により形成されるループに、工程Ｓ２８で編針ａからｇ、編針ｕからａｂに掛止されたままのループが連結されて後側ゴアライン２７２，２７２が形成される。
【００５８】
次に、特許請求の範囲におけるｎ＝７の場合に係る第３実施形態、乃至第７実施形態について説明する。
（第３実施形態）
図１１は、本発明の第３実施形態に係る肉厚部の編成方法を示している。第３実施形態では、編針ｇ〜編針ｍまでの隣接する７本の編針からなる針列に給糸方向を折り返しながら、小工程Ｓ３１０２から小工程Ｓ３１０８まで、７回の給糸を行って７列のウエール×７本の小コースの肉厚部完全組織３０Ｓを編成する。
第３実施形態では、小工程Ｓ３１０６を除くすべての工程で、ニット（●）操作とタック（▲）操作が１回ずつ、ミス（━）操作が５回であるのに対し、小工程Ｓ３１０６のみ、ニット（●）操作を２回、タック（▲）操作を１回、ミス（━）操作を４回行う。
つまり、第３実施形態では、肉厚部完全組織３０Ｓを編成する小工程Ｓ３１０２から小工程Ｓ３００８までで、特許請求の範囲におけるニット（●）操作とタック（▲）操作を行う編針の合計が３針である肉厚部編成小工程が１回である場合に相当する。
また、編針ｇから編針ｍまでのうち、編針ｉを除く全針でニット（●）操作とタック（▲）操作を１回ずつ、ミス（━）操作を５回行うのに対し、編針ｉでは、ニット（●）操作を２回、タック（▲）操作を１回、ミス（━）操作を４回を行う。
つまり、第３実施形態では、肉厚部完全組織３０Ｓを編成する小工程Ｓ３１０２から小工程Ｓ３１０８までで、特許請求の範囲におけるニット操作とタック操作を行う回数の合計が３回である編針の数が１本である場合に相当する。
【００５９】
（第４実施形態）
第４実施形態に係る肉厚部完全組織４０Ｓの編成における小工程Ｓ４００２からＳ４００８において、図１２に示すように、小工程Ｓ４００８を除くすべての工程で、ニット（●）操作とタック（▲）操作が１回ずつ、ミス（━）操作が５回であるのに対し、小工程Ｓ４００８のみ、タック（▲）操作を２回、ニット（●）操作を１回、ミス（━）操作を４回を行い、編針ｇから編針ｍまでのうち、編針ｉを除く全針でニット（●）操作とタック（▲）操作が１回ずつ、ミス（━）操作が５回であるのに対し、編針ｉでは、タック（▲）操作を２回、ニット（●）操作を１回、ミス（━）操作を４回行う。
尚、図１２において、小工程Ｓ４００９〜小工程Ｓ４０１６を合わせて示したのは、小工程Ｓ４００８と小工程Ｓ４０１０における編針ｉのように、タック（▲）操作が連続することで、三重ループが形成される例を示したものである。
【００６０】
（第５実施形態）
第５実施形態に係る肉厚部完全組織５０Ｓの編成では、図１３に示すように、第１、第２実施形態と同様に、全ての小工程及び、全ての編針で、ニット（●）操作とタック（▲）操作が１回ずつ、残りが全てミス（━）操作であるが、第１、第２実施形態では、各小工程においてタック（▲）操作や、ミス（━）操作を行う編針は、前の小工程から１針ずつ左にずれるのに対し、第４実施形態では、ニット（●）操作とタック（▲）操作を行う編針は、前の小工程のニット（●）操作やタック（▲）操作を行う編針とは無関係である。
【００６１】
本発明に係る肉厚部を備える編地の編成方法は、第３乃至第５実施形態のように、ｎ回の肉厚部編成小工程のうち、ニット（●）操作とタック（▲）操作を合わせて３回行う小工程が、１つ以下であることが好ましく、こうすることで、すべての小工程で、ニット（●）操作とタック（▲）操作をそれぞれ１回ずつのみ行う場合と比べて殆ど違いの無い厚みと質感の編地を編成できる。
【００６２】
（第６実施形態）
第６実施形態に係る肉厚部完全組織６０Ｓの編成では、図１４に示すように、第１、第２実施形態と同様に、全ての小工程でニット（●）操作とタック（▲）操作を１回ずつ、及び、全ての編針でニット（●）操作とタック（▲）操作を１回ずつ行い、残りは、全てミス（━）操作を行うが、第１、第２実施形態では、各小工程においてタック（▲）操作や、ミス（━）操作を行う編針は、直前の小工程から１針ずつ左にずれるのに対し、第６実施形態では、ニット（●）操作のみが前の小工程から１針ずつ左にずれ、タック（▲）操作を行う編針は、直前の小工程のタック（▲）操作を行う編針とは無関係である。
【００６３】
（第７実施形態）
図１５に示した第７実施形態の肉厚部７０における肉厚部完全組織７０Ｓでも、第１、第２実施形態と同様に、全ての小工程で、ニット（●）操作とタック（▲）操作を１回ずつ、全ての編針で、ニット（●）操作とタック（▲）操作を１回ずつ行い、残りが全てミス（━）操作で、第１、第２実施形態と同様、各小工程においてタック（▲）操作や、ミス（━）操作を行う編針は、前の小工程から１針ずつ左にずれるように操作される。
【００６４】
また、第３乃至第７実施形態のように、１回の肉厚部編成工程において、肉厚部編成小工程を７本の隣接する編針を用いて７回繰り返すことで、より肉厚部を厚くすることができる。
【００６５】
本発明に係る肉厚部を備えた編地の編成方法は、上記の実施形態に限らず、整数ｎは、５と７に限らず、６であってもよいし、８以上であってもよい。例えば、ｎ＝６であれば、肉厚部完全組織は、連続する６本の編針について繰り返し方向を変えながら６回の肉厚部編成小工程を行い、各小工程で１又は２回のニット（●）操作と、１又は２回のタック（▲）操作と、３回以上のミス（━）操作を行い、当該６本の編針の各編針で、１又は３回のニット（●）操作と、１又は２回のタック（▲）操作と、３回以上のミス（━）操作を行うようにするとよい。
【００６６】
また、本発明は、靴下に限らず、靴下以外の横編地にも適用することができる。靴下に適用する場合であっても、５本指靴下に限らず、指袋の無い靴下にも用いることができ、指袋は４つ以下でもよく、指袋の代わりに、指を通す指孔だけを設けるようにしてもよい。肉厚部を靴下の甲側に設けてもよいし、肉厚部を靴下の足裏側の１箇所のみ、あるいは４箇所以上に設けてもよい。
【符号の説明】
【００６７】
１０，２０，３０，４０，５０，６０，７０  肉厚部を備えた横編地
４，５，６，２３，２４  肉厚部
Ｃ１０２，Ｃ１０３，Ｃ１０４，Ｃ１０５，Ｃ１０６  小コース
１０Ｓ，２０Ｓ，３０Ｓ，４０Ｓ，５０Ｓ，６０Ｓ，７０Ｓ  肉厚部完全組織
Ｎ１，Ｎ２，Ｎ３，Ｎ４，Ｎ５  ニットループ
Ｔ１，Ｔ２，Ｔ３，Ｔ４，Ｔ５  タックループ
Ｗ１，Ｗ２，Ｗ３，Ｗ４，Ｗ５  二重ループ
Ａ１，Ａ２，Ａ３、Ａ４，Ａ５，Ａ６，Ａ７，Ａ８，Ａ９，Ａ１０  渡り糸
Ｌ，Ｍ，Ｎ，Ｏ，Ｐ，Ｑ，Ｒ，Ｓ  ウエール
【図１】
2019119936.tif 000003
【図２】
2019119936.tif 000004
【図３】
2019119936.tif 000005
【図４】
2019119936.tif 000006
【図５】
2019119936.tif 000007
【図６】
2019119936.tif 000008
【図７】
2019119936.tif 000009
【図８】
2019119936.tif 000010
【図９】
2019119936.tif 000011
【図１０】
2019119936.tif 000012
【図１１】
2019119936.tif 000013
【図１２】
2019119936.tif 000014
【図１３】
2019119936.tif 000015
【図１４】
2019119936.tif 000016
【図１５】
2019119936.tif 000017
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
肉厚部を備えた横編地を編成する編成方法であって、
ｎ（ｎは、５以上の整数）本の編針からなる針列に、当該針列の並ぶ一方向、又は他方向に編糸を１回給糸する肉厚部編成小工程を、給糸方向を折り返しながら連続してｎ回繰り返すことにより肉厚部完全組織を少なくとも１つ形成する肉厚部編成工程を備え、
前記肉厚部編成小工程において、ニット操作と、タック操作とを、それぞれ少なくとも１針ずつの編針について行うとともに、ミス操作を少なくとも（ｎ−３）針以上の編針について行い、
前記肉厚部編成工程において、前記肉厚部完全組織を１つ形成するにあたり、ｎ本からなる針列の編針毎に、ニット操作と、タック操作とを少なくとも１回ずつ行うとともに、ミス操作を（ｎ−３）回以上行うことを特徴とする肉厚部を備えた横編地の編成方法。
【請求項２】
前記肉厚部完全組織を１つ形成するにあたり、ニット操作とタック操作を行う編針の合計が３針である肉厚部編成小工程が０回又は１回である請求項１に記載の肉厚部を備えた横編地の編成方法。
【請求項３】
前記肉厚部完全組織を１つ形成するにあたり、ニット操作とタック操作を行う回数の合計が３回である編針の数が０本又は１本である請求項１に記載の肉厚部を備えた横編地の編成方法。
【請求項４】
前記編糸が、非弾性糸からなる表糸と弾性糸からなる裏糸とからなり、
前後する２つの肉厚部編成工程の間に、前記針列の少なくとも一部の針について、前記表糸を給糸するヤーンキャリアと前記裏糸を給糸するヤーンキャリアの前後を逆にして、前記非弾性糸を裏糸に前記弾性糸を表糸にして編成を行う逆プレーティング工程を備える請求項１から請求項３のいずれか１項に記載の肉厚部を備えた横編地の編成方法。
【請求項５】
前記肉厚部編成工程は、給糸する編針を両端から徐々に減らしながら前記肉厚部編成小工程を複数回繰り返す縮幅部編成工程と、前記縮幅部編成工程に続けて、編針に掛止されたままのループをニットして左右一対のゴアラインを形成するゴアライン形成工程とを備える請求項１から請求項４のいずれか１項に記載の肉厚部を備えた編地の編成方法。
【請求項６】
前記ゴアライン形成工程においても、前記肉厚部編成小工程を複数回繰り返す請求項５に記載の肉厚部を備えた横編地の編成方法。
【請求項７】
周囲よりも肉厚の肉厚部を備えた横編地であって、
前記肉厚部は、編地の１コースの中に、編糸がコース方向に折り返すｎ（ｎは、５以上の整数）本の小コースとｎ列のウエールからなる肉厚部完全組織を有し、
前記肉厚部完全組織は、各ウエールが１つ以上２つ以下のループを有するとともに、各ウエールのループの１つがニットループとタックループとを重ねた二重ループからなり、
前記ニットループが存する小コースと前記タックループが存する小コースの組み合わせが前記各二重ループで異なることを特徴とする肉厚部を備えた横編地。
【手続補正２】
【補正対象書類名】明細書
【補正対象項目名】００１２
【補正方法】変更
【補正の内容】
【００１２】
本発明にかかる肉厚部を備えた横編地の編成方法は、前記肉厚部編成工程が給糸する編針を両端から徐々に減らしながら前記肉厚部編成小工程を複数回繰り返す縮幅部編成工程と、前記縮幅部編成工程に続けて、編針に掛止されたままのループをニットして左右一対のゴアラインを形成するゴアライン形成工程とを備えてもよい。
前記肉厚部編成工程をこのように構成することで、例えば、靴下の踵部に適用してゴアラインのある踵部に肉厚部を形成できる。
【手続補正３】
【補正対象書類名】明細書
【補正対象項目名】００５５
【補正方法】変更
【補正の内容】
【００５５】
（ゴアライン形成工程Ｓ２７）
ゴアライン形成工程Ｓ２７は、左右一対の前側ゴアライン２７１，２７１を編成する工程であり、本実施形態では、前側ゴアライン２７１，２７１も肉厚部として編成される。
工程Ｓ２７では、肉厚部完全組織１０Ｓと同様の編成方法を、編針ａから編針ａｂの範囲で行う。この際、工程Ｓ２６で給糸方向を折り返すところでタック（▲）操作を行ったまま編針ａからｈ，ｕからａｂに掛止されたままになっている複数のループがゴアライン形成工程Ｓ２７によりニット（●）操作で形成したループに連結され、この連結部が前側ゴアライン２７１に形成される。例えば、小工程Ｓ２６０２の編針ａのタック（▲）操作により、編針ａに係止されたままになっている二重ループは、小工程Ｓ２７０１における編針ａのタック（▲）操作により３重ループとなったあと、小工程Ｓ２７０３における編針ａのニット（●）操作により形成されるニットループに連結される。
【手続補正４】
【補正対象書類名】明細書
【補正対象項目名】００５７
【補正方法】変更
【補正の内容】
【００５７】
（ゴアライン形成工程Ｓ２９）
ゴアライン形成工程Ｓ２９は、踵後部２３３を編成するとともに、後側ゴアライン２７２，２７２を編成する工程である。工程Ｓ２９では、図１０に示すように、まず小工程Ｓ２９０１で、給糸方向を右方向として、編針ｈでタック（▲）操作を、編針ｉでニット（●）操作を行ったのち、編針ｊから、ミス（━）、ミス（━）、ニット（●）、ニット（●）の順に編針の操作を編針ｖまで繰り返す。以下、続く小工程Ｓ２９０２から小工程Ｓ２９１５まで、ニット（●）とミス（━）操作を行う編針が、直前の小工程より２つ左隣りの編針にずらすようにしてこの操作を繰り返す。この際、給糸方向を折り返す度に給糸する編針の数を増やし、給糸方向を折り返すところでタック（▲）操作を行う。
踵後部２３３では、この２回連続するミス（━）操作により擬似パイル状の渡り糸が形成されるため、全針天竺編に編成する部分よりも肉厚となるものの、踵前部２３１や踵中間部２３２より厚みが薄くなる。
工程Ｓ２９で給糸方向を折り返すところでは、ニット（●）操作により形成されるループに、工程Ｓ２８で編針ａからｇ、編針ｕからａｂに掛止されたままのループが連結されて後側ゴアライン２７２，２７２が形成される。